(57)【要約】【課題】  マットレスへの空気の通気をマットレスの全体に拡散させて通気性を高め、適切な冷感で長期間の使用を可能とし、三次元網状構造体の洗濯や掃除が容易であること、コンパクトな構成にできること。【解決手段】寝具カバー１は、三次元網状構造体２を収容するためのファスナー３を側面４ｅに有する繊維カバー４と、ファスナー３を設けた側面４ｅの内側に設けられる帯状の配管支持部５と、電磁式エアーポンプ６に接続される分岐アダプタ７と、分岐アダプタ７にそれぞれ接続され、一端部８ａ〜８ｃと、三次元網状構造体２の長手側面に差し込まれるＬ字型の他端部９ａ〜９ｃとを有する、長さが相違してなる、管径（内径）が４〜１２ｍｍの複数本の配管１０ａ〜１０ｃと、を備えている。配管１０ａ〜１０ｃが側面２ｅに配置される。  【選択図】  図２
2020036843.tif 000002
【特許請求の範囲】
【請求項１】
上面、下面、側面を有し、三次元網状構造体を収容するためのファスナーを側面に有する繊維カバーと、
前記ファスナーを設けた側面の内側に設けられる袋状又は帯状の配管支持部と、
一端部と、前記三次元網状構造体の長手側面に差し込まれるＬ字型の他端部とを有する配管と、
を備え、
前記配管が前記側面のうちの長手側面の長手方向に配置されることを特徴とする寝具カバー。
【請求項２】
さらに分岐アダプタを備え、前記配管は長さが相違するものが複数本設けられ、前記配管の一端部はそれぞれ前記分岐アダプタに接続される、請求項１の寝具カバー。
【請求項３】
前記側面のうちの長手側面の裏側に長手方向に沿って前記配管を仮固定するための面ファスナー又は前記配管を収容する繊維袋を配置する請求項１または２に記載の寝具カバー。
【請求項４】
前記分岐アダプタが電磁式エアーポンプに接続され、前記電磁式エアーポンプの風量が３２〜２００Ｌ／ｍｉｎ、使用圧力が５〜２５ｋＰａである請求項２の寝具カバー。
【発明の詳細な説明】
【技術分野】
【０００１】
本発明は、マットレス、クッション等に使用する三次元網状構造体の温度を調整するための寝具カバーに関するものである。
【背景技術】
【０００２】
近年の地球温暖化によって、酷暑となっており、夏の暑さ対策が要望されているが未だ十分ではない。
【０００３】
冷感寝具としては、例えば、通気性の素材を用いたタイプ、ジェルタイプ、薬品で冷やすタイプ等があり、マットレス、クッション、シート等の多種類の商品が提供されている。
【０００４】
三次元網状構造体を用いた温度調整用の発明には、次のものがある。
【０００５】
特許文献１の発明は、マットカバー（１）が通気シート材と非通気シート材と通気シーツ（２２）を備え、通気口（６）の１か所から通気している。ファン（１０）を有するブロアーを用いている。
【０００６】
特許文献２の発明は、マットレスの三次元網状ウレタンフォーム層の一側又は両側にウレタンフォーム層を有する。
【０００７】
特許文献３の発明は、マットの通気口が1か所であり、三次元網状構造体の内部層４の外側上下面を被覆する発泡ウレタン被複層５、７と、硬綿層を有する被複層６を備える。
【０００８】
特許文献４の発明は、座席用の通気性敷物の網状マット２を通気性シート３で覆い、１か所の通気管６から空気を供給する。
【０００９】
特許文献５の発明は、褥瘡予防マットレスであって、粗状流動層２の上に通気性の上皮クッション層１３、粗状流動層２の下に非通気性の下側クッション層１１を有する。
【先行技術文献】
【特許文献】
【００１０】
【特許文献１】特開２００４−２６７７３０号公報
【特許文献２】実用新案公開昭５５−４５８３９号公報
【特許文献３】特開２００１−１０４１０４号公報
【特許文献４】実用新案公開平５−４１４６４号公報
【特許文献５】特開２００８−２７８９９２号公報
【発明の概要】
【発明が解決しようとする課題】
【００１１】
いわゆる冷感商品では、一瞬は冷たく感じるが体温で温まってしまい、冷感効果が持続せず、長期間の使用には適用できなかった。
【００１２】
特許文献１の発明は、通気構造が複雑化しており、マット（７）の冷却が不十分であるとともに、使用者に違和感が生じ、空気量や圧力が大き過ぎたり、騒音があるなど、長時間の使用に耐えられないという課題が存在していた。
【００１３】
特許文献２の発明は、ウレタンフォーム層により通気が阻害され、長時間の使用に耐えられない、送風管が内部に配置されるため洗濯や掃除が煩雑であるという課題が存在していた。
【００１４】
特許文献３の発明は、発泡ウレタン被複層により通気が阻害され、冷却が不十分となり、長時間の使用に耐えられない、送風機のような大型の送風源を必要とするという課題が存在していた。
【００１５】
特許文献４の発明は、通気が不十分で、冷却が不十分となり、長時間の使用に耐えられない課題、冷暖房機から空気を供給するため、冷暖房配管工事が必要であるという課題が存在していた。
【００１６】
特許文献５の発明は、褥瘡予防マットレスであって、粗状流動層２の上に通気性の上皮クッション層１３、粗状流動層２の下に非通気性の下側クッション層１１を有するため、通気が不十分である、温風を循環供給するため夏季には使用が困難であるという課題が存在していた。
【００１７】
そこで、本発明は、寝具へ通気された空気を寝具の全体に拡散させて通気性を高め、適切な冷感で長期間の使用を可能とし、三次元網状構造体やカバーの洗濯や掃除が容易であること、コンパクトな構成にできることを課題とする。
【課題を解決するための手段】
【００１８】
本発明は、上面、下面、側面を有し、三次元網状構造体を収容するためのファスナーを側面に有する繊維カバーと、前記ファスナーを設けた側面の内側に設けられる袋状又は帯状の配管支持部と、一端部と、前記三次元網状構造体の長手側面に差し込まれるＬ字型の他端部とを有する配管と、を備え、前記配管が前記側面のうちの長手側面の長手方向に配置されることを特徴とする寝具カバーである。
【００１９】
三次元網状構造体は複数の面を備え、例えば、上面、下面、４つの側面を有し、側面は長手方向と短手方向を有する直方体が例示される。そのうちの２面、３面、または、４面、５面以上の多面に成形されることが好ましく、必要に応じて異形形状に成形されることが好ましい。
【００２０】
前記寝具カバーは、寝具、例えば、マットレス、枕等のためのカバーに適用される。カバーとしては、寝具のインナー、アウター等が挙げられる。
【００２１】
Ｌ字型の他端部は、Ｌ型ニップルが好ましく、素材はポリプロピレン製が例示される。
【００２２】
前記繊維カバーは通気性が高い素材であることが好ましく、三次元構造メッシュ、いわゆるダブルラッセル構造であることが好ましい。例えば、株式会社幸和の品名ライトメッシュ、品番Ｗ−２２０、素材ポリエステル１００％が例示される。
【００２３】
配管の管径は３〜１２ｍｍ（内径）が好ましい。管径が３ｍｍより小さいと、風量が不十分となり配管の本数が増大し、管径が１２ｍｍより大きいと、三次元網状構造体２の空隙に差し込むこと、繊維カバー４への収容が困難になる。配管は単数、複数いずれでもよい。配管が単数の場合、配管の異なる箇所でＬ字型の他端部を設ける。配管が複数本の場合、独立させて配管を行い、配管それぞれに、Ｌ字型の他端部を設ける。
【００２４】
前記寝具カバーは、さらに分岐アダプタを備え、前記配管は長さが相違するものが複数本設けられ、前記配管の一端部はそれぞれ前記分岐アダプタに接続されることが好ましい。複数本の配管を利用すれば、単数の配管を用いて配管の途中から管を分岐させるよりも、末端での圧力や風量の低下を回避できる。配管の長さは２０〜２００ｃｍが例示される。
【００２５】
前記側面のうちの長手側面の裏側に長手方向に沿って前記配管を仮固定するための面ファスナー又は前記配管を収容する繊維袋を配置することが好ましい。この場合、繊維袋には、Ｌ字型の他端部を突出させるための孔を設ける。
【００２６】
面ファスナーの生地は、いわゆるパイルタイプ、例えばフレンチパイル等である。例えば、ジャック株式会社の製品名ボアテープが例示される。ナイロン製、ポリエステル製でもよく、耐久性が高くなる。面ファスナーの幅１．６〜１５ｃｍ、長さ２０〜２００ｃｍが例示されるが限定されるわけではない。
【００２７】
前記分岐アダプタが電磁式エアーポンプに接続される。前記電磁式エアーポンプの風量３２〜２００Ｌ／ｍｉｎ、使用圧力範囲５〜２５ｋＰａ、消費電力２５〜１２５Ｗ、吐出口径５〜２５ｍｍ、質量４．４〜６．１Ｋｇが好ましいが、三次元網状構造体の容積に応じて適宜採択されるので、それらに限定されるわけではない。電磁エアーポンプであれば、低コスト、低騒音を実現できる。
【００２８】
空気圧の圧力計はなくてもよいが、空気圧を適正に調整するために取り付けてもよい。
【００２９】
電磁式エアーポンプから供給される風量を調整するためのレギュレータを配管に設けることが好ましい。
【００３０】
寝具カバーは、空気調和装置で調整されない自然の空気でも使用可能であるが、空気調和装置で調整された空気を利用することも可能である。
【００３１】
適切な冷感は人間の体温を基準として、例えば、上下２℃の範囲に調整できるので、適切な冷感が得られる。
【００３２】
電磁式エアーポンプの風量を増減することで温度は調整できる。空気調和装置に比べて少ない風量であるので、冷え過ぎない。電気代も安い。
【発明の効果】
【００３３】
配管を介して、外気を三次元網状構造体に連続的に外気又は室内空気を供給できるので、人体の温度で繊維カバーや三次元網状構造体と人体の接触部位に熱が蓄積されたとしても、人体の温度よりも低い温度の外気又は室内空気が三次元網状構造体に拡散して供給されるので、適切な冷感が得られる。繊維カバーや三次元網状構造体内の空気の循環が自然であるので、健康によい。
【図面の簡単な説明】
【００３４】
【図１】本発明の実施形態に係る寝具カバー（ファスナーを閉じた状態）の斜視図である。
【図２】本発明の実施形態に係る寝具カバー（ファスナーを開いた状態）の斜視図である。
【図３】本発明の実施形態に係る寝具カバーに収容される三次元網状構造体の斜視図である。
【図４】（ａ）本発明の実施形態に係る寝具カバーの配管支持部に支持される配管を示す裏面図、（ｂ）同じく平面図である。
【図５】本発明の実施形態に係る寝具カバー（ファスナーを開いた状態）の部分拡大斜視図である。
【図６】本発明の実施形態に係る寝具カバー（ファスナーを開いた状態でＬ字型の他端部を外した状態）の別の場所での部分拡大斜視図である。
【図７】本発明の実施形態に係る寝具カバー（ファスナーを開いた状態でＬ字型の他端部を差し込んだ状態）の別の場所での部分拡大斜視図である。
【図８】本発明の実施形態に係る寝具カバー（ファスナーを開いた状態でＬ字型の他端部を差し込んだ状態）のさらに異なる別の場所での部分拡大斜視図である。
【発明を実施するための形態】
【００３５】
本発明の実施形態の寝具カバー１について説明する。
【００３６】
寝具カバー１は、図１〜図８に示す通り、三次元網状構造体２を収容するためのファスナー３を側面４ｅに有する繊維カバー４と、ファスナー３を設けた側面４ｅの内側に設けられる帯状の配管支持部５と、電磁式エアーポンプ６に接続される分岐アダプタ７と、分岐アダプタ７に接続される一端部８ａ〜８ｃと、三次元網状構造体２の長手側面に差し込まれるＬ字型の他端部９ａ〜９ｃとを有する、長さが相違してなる、管径（内径）が３〜１２ｍｍの複数本の配管１０ａ〜１０ｃと、を備えている。配管１０ａ〜１０ｃと配管支持部５が側面４ｅの内側に配置される。以下、詳細に説明する。
【００３７】
三次元網状構造体２は直方体の形状であり、上面２ａ、下面２ｂ、短手方向の２つの側面２ｃ、２ｄと、長手方向の２つの側面２ｅ、２ｆを有している。三次元網状構造体２の寸法は、縦１９３ｃｍ×横９５ｃｍ×厚さ４．５ｃｍが例示される。厚さは１ｃｍ〜２０ｃｍ、特に、３ｃｍ〜１５ｃｍ、特に好ましくは、４〜１０ｃｍである。三次元網状構造体２の嵩密度は０．０１〜０．９４ｇ／ｃｍ3、好ましくは、０．０２ｇ／ｃｍ3〜０．９ｇ／ｃｍ3、特に好ましくは、０.０２５ｇ／ｃｍ３〜０.２ｇ／ｃｍ３が例示されるが、その範囲に限定されるわけではない。
【００３８】
本実施形態の三次元網状構造体２の製法については、その一例が特開２００１−３２８１５３号公報、特許第４３５０２８６号、米国特許第７，６２５，６２９号公報、国際公開WO2012/157289号公報等に記載されているので、参照されたい。ただし、この製法に限定されるわけではない。
【００３９】
三次元網状構造体２の材料は、適宜、採択可能である。同種又は異種の材料の三次元網状構造体２を積層させたものでも適用できる。
【００４０】
本発明の三次元網状構造体２は、その使用目的、使用部位により使用する樹脂、線径、ループ径、表面層、嵩密度、形状を適宜選択する必要がある。例えば、使用する国における硬さの好みに合わせて適時、素材の原料を選ぶ。レイヤーとして使用する場合、表面層か中間層かにより適切な嵩密度を選択する。また、立体構造を損なわない程度に成形型等を用いて使用目的にあった形状に成形し、マットレス等の寝具等に用いることが出来る。もちろん、要求性能にあわせるため、同構造同素材での複層、同構造異素材での複層を用いることも可能である。この素材を難燃化、不燃化、抗菌化、着色の機能をもたせるように処理加工することもできる。通気性、防水性能などそれぞれに適した素材で取り外し可能な繊維カバー４を適宜設計することができる。
【００４１】
ファスナー３は、一般的なものであり、スライダー３ａとエレメント３ｂとテープ３ｃを備える。
【００４２】
繊維カバー４はダブルラッセル構造であり、通気性が良好であり、上面４ａ、下面４ｂ、短手方向の２つの側面４ｃ、４ｄと、長手方向の２つの側面４ｅ、４ｆを有している。繊維カバー４は、マットレス用インナーである。繊維カバー４は株式会社幸和の品名ライトメッシュ、品番Ｗ−２２０、素材はポリエステル１００％が例示される。繊維カバー４の寸法は縦１９６ｃｍ×横９８ｃｍ×厚さ５．５ｃｍが例示されるが、限定されるわけではない。
【００４３】
配管支持部５はプラスチック製又は繊維製の面ファスナーであり、長手方向に配置される帯状部５ａと、短手方向に配置される帯状部５ｂを備える。帯状部５ａに対して帯状部５ｂを脱着可能である。帯状部５ａは、洗濯の時の汚れの付着の少ない構造や材質とする。帯状部５ａは側面４ｅの裏面に縫製されて２層構造になっている。そのため、空気が側面４ｅから抜けにくくなっている。帯状部５ｂの面ファスナーの生地は、いわゆるパイルタイプ、例えばフレンチパイル等である。例えば、ジャック株式会社の製品名ボアテープが例示される。ナイロン製、ポリエステル製であれば耐久性が高くなる。配管支持部５の帯状部５ａの寸法は、幅５．５ｃｍ、長さ１９３ｃｍが例示されるが、限定されるわけではない。
【００４４】
配管１０ａ〜１０ｃを側面２ｅに仮固定するための帯状の配管支持部５は面ファスナーである。これに代えて、繊維袋を配置し、配管を収容してもよい。この場合、繊維袋には、Ｌ字型の他端部を突出させるための孔を設ける。配管１０ａ〜１０ｃは三次元網状構造体２の側面２ｅと帯状部５ａで挟まれるため、ずれにくい。
【００４５】
電磁式エアーポンプ６から配管１０ａ〜１０ｃに供給される空気の圧力が１．３〜２．５気圧であることが好ましい。電源線は図示略とする。
【００４６】
電磁式エアーポンプ６は風量１００〜１２０Ｌ／ｍｉｎ、使用圧力５〜２５ｋｐａ、消費電力５１〜１２５Ｗ、吐出口径１８ｍｍ、質量６．１Ｋｇである。
【００４７】
分岐アダプタ７は複数の分岐、例えば、三股の構造である。分岐アダプタ―７の入口と出口にチューブ継手が設けられている。
【００４８】
Ｌ字型の他端部９ａ〜９ｃはＬ型ニップルであり、素材はポリプロピレン製である。Ｌ字型の他端部９ａ〜９ｃとして、トヨックス Ｌ型ニップル８ミリ ＬＮ−０８が例示される。他端部９ａ〜９ｃの径が減縮された端部が配管１０ａ〜１０ｃのそれぞれに対して、差し込みと抜き取りが可能であり、使用時は三次元網状構造体２の空隙部に差し込まれる。
【００４９】
複数本の配管１０ａ〜１０ｃを利用し、１本の配管の途中から管を分岐させていないのは、先端に行くほど、圧力や風量が低下することがあり、これを回避するためである。
【００５０】
配管１０ａ〜１０ｃは、三次元網状構造体２の側面２ｅのうちの長手側面の長手方向に配置する。繊維カバー４内の配管１０ａ〜１０ｃの長さは配管１０ａが１５８ｃｍ、配管１０ｂが９５ｃｍ、配管１０ｃが３０ｃｍであるが、例示である。配管１０ａ〜１０ｃの内径８ｍｍ、外径１０ｍｍが例示されるが限定されるわけではない。
【００５１】
ファスナー１１を設け、配管１０ａ〜１０ｃを束ねている。
【００５２】
空気圧圧力計１２ａ付きのレギュレータ１２を、電磁式エアーポンプ６と分岐アダプタ７の間に設けている。空気圧を適正な値に調整するために圧力計を取り付けてもいるが、圧力計を省略してもよい。空気圧の調整・測定範囲は０〜１．０Ｍｐａ例示される。風量の調整はレギュレータ１２のダイアルを回動することにより行われる。
【００５３】
電磁式エアーポンプ６とレギュレータ１２は、配管１３で接続されている。
【００５４】
寝具カバー１の使用方法、洗濯方法を説明する。組立方法は次の通りである。スライダー３ａを開き、開口部から三次元網状構造体２を繊維カバー４の内部に収容し、ファスナー１１で結束された配管１０ａ〜１０ｃを帯状部５ａの長手方向に沿って、その表面に配置し、帯状部５ｂで配管１０ａ〜１０ｃの適宜な箇所で帯状部５ｂを帯状部５ａに接着し、配管１０ａ〜１０ｃを仮固定する。他端部９ａ〜９ｃをそれぞれ三次元網状構造体２の側面２ｅの空隙部へ差し込む。スライダー３ａを閉じる。分解方法は逆の手順を行えばよい。寝具カバー１の分解後、三次元網状構造体２の洗浄や繊維カバー４の洗濯を行う。
【００５５】
三次元網状構造体２と繊維カバー４を人間の体温の平均値の２℃以下の適切な範囲に調整することで、適切な冷感を確保できる。例えば、室内空気が３０℃、体温の平均値が３６℃とすると、空気調和装置を使用しない場合、常温の空気を利用し三次元網状構造体２と繊維カバー４の温度平均値を例えば３０〜３４℃に保つことができる。外気又は室内空気の常温空気を利用することで、暑さを解消するとともに、人体が冷え過ぎることを防止できる。空気調和装置を使用する場合は、室内空気が例えば２５〜２８℃に制御されるので、三次元網状構造体２と繊維カバー４の温度も同程度に制御されるので、快適である。
【００５６】
電磁式エアーポンプ６の風量を増減することで温度は調整できる。電気代も削減できる。空気調和装置に比べて少ない風量であるので、冷え過ぎず、健康に好適である。
【００５７】
電磁式エアーポンプ６により、配管１０ａ〜１０ｃを介して、室内空気又は外気を三次元網状構造体２に連続的に供給できるので、三次元網状構造体２に三次元的に供給空気が拡散し、三次元網状構造体２及び繊維カバー４が、人体の温度で暖められて温度上昇しても、外気又は室内空気の温度が人体の温度よりも低いことから、三次元網状構造体２の温度を自然に低下させることができるので、三次元網状構造体２が暑過ぎ、冷え過ぎを防止し、適切な冷感を得られるので、健康に良い。使用者は三次元網状構造体に送られる風量をレギュレータ１２により適切に調整できる。
【００５８】
なお、本発明は、上述の実施の形態に限定されず、本発明の技術的思想を逸脱しない範囲で、様々な改変、置換、欠失等を行うことが出来、改変、均等、置換、欠失等も本発明の技術的範囲に含まれる。例えば、折れ目のない三次元網状構造体のマットレスを挙げて説明したが、切り込み溝のあるマットレス、例えば、特開2006-6924等に記載のように複数の短手方向の連続溝を長手方向に沿って所定間隙又は適宜間隙で形成し、立体網状構造体が上方に屈曲するときに該連続溝が拡開するマットレス等にも適用できることは無論である。この場合には、配管１０ａ〜１０ｃは、拡開を妨げないように、折れ線状に配置される。寝具カバー１は、空気調和装置なしの室内空気又は外気でも使用可能であるが、空気調和装置で調温された空気を利用することも可能である。繊維カバー４の外部にある部材をボックス化又はユニット化してもよい。インナーとしての繊維カバー４の例を示したが、繊維カバー４の外面をアウターで被覆することが一般的であり、寝具カバー１を全部収容するようにできる。
【００５９】
本実施形態の寝具カバー１は夏季での三次元網状構造体の冷やし過ぎを防止できるが、冬季にも使用可能であり、三次元網状構造体の暖め過ぎを防止できる。
【産業上の利用可能性】
【００６０】
本発明は、寝具、例えばマットレス、枕等の温度調整、特に、適切な冷感を提供するので、酷暑対策に有効である。
【符号の説明】
【００６１】
１  寝具カバー
２  三次元網状構造体
２ａ  上面
２ｂ  下面
２ｃ、２ｄ、２ｅ、２ｆ  側面
３  ファスナー
３ａ  スライダー
３ｂ  エレメント
３ｃ  テープ
４  繊維カバー
４ａ  上面
４ｂ  下面
４ｃ、４ｄ、４ｅ、４ｆ  側面
５  配管支持部
５ａ  帯状部
５ｂ  帯状部
６  電磁式エアーポンプ
７  分岐アダプタ
８ａ〜８ｃ  一端部
９ａ〜９ｃ  他端部
１０ａ〜１０ｃ  配管
１１  ファスナー
１２  レギュレータ
１３  配管
【図１】
2020036843.tif 000003
【図２】
2020036843.tif 000004
【図３】
2020036843.tif 000005
【図４】
2020036843.tif 000006
【図５】
2020036843.tif 000007
【図６】
2020036843.tif 000008
【図７】
2020036843.tif 000009
【図８】
2020036843.tif 000010
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
上面、下面、側面を有し、三次元網状構造体を収容するためのファスナーを前記側面のうちの長手側面に有する繊維カバーと、
前記ファスナーを設けた長手側面の裏側に設けられる袋状又は帯状の配管支持部と、
一端部と、前記三次元網状構造体の長手側面において前記三次元網状構造体の空隙部に差し込まれるＬ字型の他端部とを有する配管と、
を備え、
前記配管が前記ファスナーを設けた長手側面の長手方向に配置され、
さらに分岐アダプタを備え、前記配管は長さが相違するものが複数本設けられ、前記配管の一端部はそれぞれ前記分岐アダプタに接続され、
前記配管支持部が、前記ファスナーを設けた長手側面の裏側に長手方向に沿って前記配管を仮固定するための面ファスナー又は前記配管を収容する繊維袋であり、繊維袋の場合には、Ｌ字型の他端部を突出させるための孔が設けられ、
前記分岐アダプタが電磁式エアーポンプに接続されることを特徴とする寝具カバー。
【請求項２】
前記電磁式エアーポンプの風量が３２〜２００Ｌ／ｍｉｎ、使用圧力が５〜２５ｋＰａである請求項１の寝具カバー。
【手続補正２】
【補正対象書類名】明細書
【補正対象項目名】００１８
【補正方法】変更
【補正の内容】
【００１８】
本発明は、上面、下面、側面を有し、三次元網状構造体を収容するためのファスナーを前記側面のうちの長手側面に有する繊維カバーと、前記ファスナーを設けた長手側面の裏側に設けられる袋状又は帯状の配管支持部と、一端部と、前記三次元網状構造体の長手側面において前記三次元網状構造体の空隙部に差し込まれるＬ字型の他端部とを有する配管と、を備え、前記配管が前記ファスナーを設けた長手側面の長手方向に配置され、さらに分岐アダプタを備え、前記配管は長さが相違するものが複数本設けられ、前記配管の一端部はそれぞれ前記分岐アダプタに接続され、前記配管支持部が、前記ファスナーを設けた長手側面の裏側に長手方向に沿って前記配管を仮固定するための面ファスナー又は前記配管を収容する繊維袋であり、繊維袋の場合には、Ｌ字型の他端部を突出させるための孔が設けられ、前記分岐アダプタが電磁式エアーポンプに接続されることを特徴とする寝具カバーである。
【手続補正３】
【補正対象書類名】明細書
【補正対象項目名】００２４
【補正方法】変更
【補正の内容】
【００２４】
複数本の配管を利用するので、単数の配管を用いて配管の途中から管を分岐させるよりも、末端での圧力や風量の低下を回避できる。配管の長さは２０〜２００ｃｍが例示される。
【手続補正４】
【補正対象書類名】明細書
【補正対象項目名】００２５
【補正方法】削除
【補正の内容】
【手続補正５】
【補正対象書類名】明細書
【補正対象項目名】００２７
【補正方法】変更
【補正の内容】
【００２７】
前記電磁式エアーポンプの風量３２〜２００Ｌ／ｍｉｎ、使用圧力範囲５〜２５ｋＰａ、消費電力２５〜１２５Ｗ、吐出口径５〜２５ｍｍ、質量４．４〜６．１Ｋｇが好ましいが、三次元網状構造体の容積に応じて適宜採択されるので、それらに限定されるわけではない。電磁エアーポンプであれば、低コスト、低騒音を実現できる。